(57)【特許請求の範囲】
【請求項１】
架台（１）に緩衝バネ（２）を介して基体（３）を傾斜状態で載置し、該基体（３）の上にリンク機構（４）を用いて振動スクリーン（５）を連接し、前記基体（３）から上方に向けて支持体（６）を連設し、前記支持体（６）により前記振動スクリーン（５）の固定側部（５Ａ）を支持させ、前記リンク機構（４）により前記振動スクリーン（５）の可動側部（５Ｂ）を支持させ、且つ、前記基体（３）と前記振動スクリーン（５）の可動側部（５Ｂ）とをリアクタースプリング（７）で連結し、前記基体（３）に振動モーター（９）を設置し、該振動モーター（９）によって前記リンク機構（４）を駆動して前記振動スクリーン（５）を振動させるように構成し、且つ、前記振動スクリーン（５）の固定側部（５Ａ）の重量を１としたときに、前記可動側部（５Ｂ）の側の重量を、０．４から１．５の範囲に設定してある振動篩装置において、
前記基体（３）は、その搬送方向上手と下手、即ち、上端部及び上端部から夫々一対、上方に向けて一対の支持体（６）を枢支、連設し、前記支持体（６）により前記振動スクリーン（５）の固定側部（５Ａ）を支持させ、前記リンク機構（４）により前記振動スクリーン（５）の可動側部（５Ｂ）を支持させ、且つ、前記基体（３）と前記振動スクリーン（５）の可動側部（５Ｂ）とを、搬送方向上手と下手において夫々一対のリアクタースプリング（７）で連結してあり、
前記架台（１）に対する基体（３）の支持が、該基体（３）の長手方向上方側端部と、長手方向略中間部及び下方側端部とそれらの幅方向左右位置の６箇所で、夫々前記緩衝バネ（２）を介して支持されるように一体構造物に構成された第１の架台（１Ａ）と、前記基体（３）の下方側端部が独立して構成された第２の架台（１Ｂ）とから成されており、以って、前記振動スクリーン（５）の固定側部（５Ａ）の前記基体（３）の長手方向下手側端部、即ち、下端部に対する支持体（６）を介しての支持が、直ちに緩衝バネ（２）を介して直下の第２の架台（１Ｂ）により支持される構成とされ、
前記支持体（６）による前記振動スクリーン（５）の固定側部（５Ａ）の支持が、前記基体（３）の長手方向上方側端部及び下方側端部とそれらの幅方向左右位置の４箇所で成されており、
且つ、前記捩動スクリーン（５）に設けられたスクリーン本体（５Ｃ）は、その搬送方向において、所定の間隔を隔てて、前記可動側部（５Ｂ）と固定側部（５Ａ）とに止め付けられている、
ことを特徴とする振動篩装置。
【請求項２】
前記スクリーン（５）のスクリーン本体（５Ｃ）は、その搬送方向において所定の間隔を隔てて、前記可動側部（５Ｂ）と固定側部（５Ａ）と止め付けられ、そのスクリーン本体（５Ｃ）は、ウレタン網で構成されている、ことを特徴とする請求項１に記載の振動篩装置。
【発明の詳細な説明】
【技術分野】
【０００１】  本発明は、篩により廃材等の分別を行う振動篩装置の改良に関する。
【背景技術】
【０００２】  建設廃材ミンチ（混合廃棄物）、コンクリート・土砂廃材、資源ゴミの残渣等の分別には、精度のよい選別装置が求められる。このような選別には、基本的には振動篩が用いられると供に風選、サイクロン、集塵機等を組み合わせたシステムが既に提案されている。
最近に至っては、上述した残渣は、先ず、スクリーン選別によって、砂、小石と可燃物（木、紙、廃プラ）に分別され、しかる後に、風選を伴う振動篩装置で、異なる比重、サイズ等で高選別される。【０００３】  上述のようなスクリーン型の振動篩装置としては、種々提案されているが、次の技術を挙げることができる。
【特許文献１】特開２００８−８０２３９。
【特許文献２】特開２００３−３４０３７５。
【特許文献３】特開２００８−１１０２８７。
【０００４】  上述したスクリーン型の振動篩装置としては、傾斜したコンベアタイプのものが提案されており、その構造は、フロア−に設置される架台に緩衝バネを介在させて基体を所定の傾斜角度でもって敷設し、該基体に振動スクリーンを、所定の傾斜角度でもって振動可能にリンク支持させ、そして、前記基体に載置した振動モーターによって、前記振動スクリーンに振動を付与させ、該振動スクリーンに投入された残渣を選別するようにしたものがある。【０００５】  そして、上述した振動モーターは、電動モーターによって偏心軸を駆動し、これに連動連結されたリンクアームを介して振動スクリーンに振動を付与するものが提案されているが、その振動発生には基体に対する反力が作用する。即ち、基体から架台に振動が伝達され、フロア−にその振動が伝わることになる。勿論、バネを介在させているので、幾らかは軽減されるが、フロア−には大きな振動が伝わることになり、問題となっていた。【０００６】  そこで、本発明者は、上記課題を解決するために、図６及び図７に示す振動篩装置を提案した。
【特許文献４】特開２００９−２９１７７２。
【０００７】  この特許文献４に記載の振動篩装置は、図６及び図７に示す通り、架台１に緩衝バネ２を介して基体３を載置し、該基体３の上にリンク機構４を用いて振動スクリーン５を連接し、前記基体３に振動モーター９を設置し、該振動モーター９によって前記リンク機構４を駆動して前記振動スクリーン５を振動させるように構成した振動篩装置において、前記基体３から上方に向けて支持体６を連設し、前記支持体６により前記振動スクリーン５の固定側部５Ａを支持させ、前記リンク機構４により前記振動スクリーン５の可動側部５Ｂを支持させ、且つ、前記基体３と前記振動スクリーン５の可動側部５Ｂとをリアクタースプリング７で連結したものである。【０００８】  更に、前記振動スクリーン５の固定側部５Ａの重量を１としたときに、前記可動側部５Ｂの側の重量を、０．４から１．５の範囲に設定してある。このように構成することで、前記振動スクリーン５の可動側部５Ｂと固定側部５Ａとの運動エネルギーを、リアクタースプリンにより共振度合いを近似させることができて、フロア−に対する振動伝達を抑制できるようにしたのである。
尚、ここで、前記振動スクリーン５の固定側部５Ａ（カウンターウエイト側）とは、基体３、振動モーター９、リンク機構４、支持体６を含む構造物を指す。また、前記振動スクリーン５の可動側部５Ｂ（トラフ側）とは、リンク機構４によって可動する部分を言う。
図６及び図７において、４Ａ，４Ｂ，４Ｃは、リンクアームであり、９Ａは、電動モーター、９ｂは偏心軸であり、９Ｃは連結部材である。１０〜１３は、スプリングブラケット、１４から７は、リンクブラケットである。２０、２１は枢支部を示し、２２は筒軸、２３は孔、２４は枢支ピンを示す。
【発明の開示】
【発明が解決しようとする課題】
【０００９】  上記構成の振動篩装置により、選別物（土砂、その他）に対する選別性能を向上させながらフロア−に対する振動伝達を抑制することができる顕著な効果を奏するに至ったものであるが、新たに次の問題が生じていた。
即ち、図示から解るように、基体３（振動スクリーン５を支持）は、架台１に対して傾斜して載置されているが、その支持は、基体３の一端部と、他端側に近い中間部とで、緩衝バネ２を介して行われている。つまり、都合４箇所での支持となっている。
更に、振動スクリーン５の傾斜角度を随時変更調節できるように、傾斜調節機構８を備えていた。即ち、傾斜支持が可能なように、基体３と架台１とはピン連結（枢支）されていた。【００１０】  このような構成の場合、振動モーター９が、基体３の搬送方向の中間位置に設けられ、偏心軸９Ｂにより連結部材９Ｃを介して振動スクリーン５の可動側部５Ｂ（トラフ側）を波動させると、この可動側部５Ｂを駆動する反力が振動モーター９を介して基体３に伝わり、緩衝バネ２を介して架台１に伝わるが、振動スクリーン５の固定側部５Ａが、基体３の両端部（上下端）で支持体６により支持されているため、同時に、前記固定側部５Ａから基体３の下端部に反力が伝わることになる。【００１１】  その結果、二つの問題が生じるのである。先ず、基体３にかかる振動反力の支持は、所定の傾斜角度を選定するとしても、その傾斜角度変更を可能にする構成故に緩衝バネ２の圧縮伸張変位方向が垂直方向ではなく、結果としてピン連結支持構造（枢支）としなければならない。従って、この構造においては、強固なピン連結構造を採用しなければならず、コスト高を招くし、緩衝バネ２のコイルの中心に対して角度をもって力が作用することになって、十分に安定した弾性を発揮できない虞が生じるのである。【００１２】  第２に、振動スクリーン５の固定側部５Ａが、一方において基体３の上端部で支持体６により支持され、その下方で緩衝バネ２を介して支持されているので、前記基体３の上端部に伝わる固定側部５Ａの振動波動は、直接下方の緩衝バネ２を介して架台１に支持されることになって問題はないのであるが、他方において振動スクリーン５の固定側部５Ａの下端側が基体３の下端部に支持されるも、前記緩衝バネ２は、その下端部から上方に離れた位置に設けられていて、距離をもって支持されている。【００１３】  その結果、振動モーター９の偏心軸で駆動して振動スクリーン５を波動振動させる際、基体３の下端部で支持体６により支持されるも、その振動は、前記基体３が剛体で構成されているものの、該基体３の下端部から前記緩衝バネ２（略中間位置）に対して距離を持つ故に僅かに時間的ズレを生じた状態で伝達されることになる。この場合、前記振動モーター９がその偏心軸で振動スクリーン５を暫時、前後上下方向に波動させるので、その波動が前記基体３の下端部から前記振動バネ２に伝わる時間的ズレを生じ、また、基体３の下端部を力点とし、前記緩衝バネ２の位置を支点とした作用も生じ、折角、前記振動スクリーン５の固定側部５Ａの重量を１とし、前記可動側部５Ｂの側の重量を、０．４から１．５の範囲に設定して、前記振動スクリーン５の可動側部５Ｂと固定側部５Ａとの運動エネルギーを、リアクタースプリングにより共振度合いを近似させ、以って、フロア−に対する振動伝達を抑制できるようにしたのに、この作用効果が減じられる事態を生じることになり、結果として、選別性能が少し低下してしまうという問題がある。【００１４】  本発明は、コスト高を招くことなく、簡単な構造改良でもって、ベースとする振動篩装置（特許文献４）のもつ選別性能をより一層向上させながらフロア−に対する振動伝達を抑制することができるようにすることを目的とする��
【課題を解決するための手段】
【００１５】  本発明にかかる振動篩装置は、上記目的を達成するために、架台（１）に緩衝バネ（２）を介して基体（３）を傾斜状態で載置し、該基体（３）の上にリンク機構（４）を用いて振動スクリーン（５）を連接し、前記基体（３）から上方に向けて支持体（６）を連設し、前記支持体（６）により前記振動スクリーン（５）の固定側部（５Ａ）を支持させ、前記リンク機構（４）により前記振動スクリーン（５）の可動側部（５Ｂ）を支持させ、且つ、前記基体（３）と前記振動スクリーン（５）の可動側部（５Ｂ）とをリアクタースプリング（７）で連結し、前記基体（３）に振動モーター（９）を設置し、該振動モーター（９）によって前記リンク機構（４）を駆動して前記振動スクリーン（５）を振動させるように構成し、且つ、前記振動スクリーン（５）の固定側部（５Ａ）の重量を１としたときに、前記可動側部（５Ｂ）の側の重量を、０．４から１．５の範囲に設定してある振動篩装置において、
前記基体（３）は、その搬送方向上手と下手、即ち、上端部及び上端部から夫々一対、上方に向けて一対の支持体（６）を枢支、連設し、前記支持体（６）により前記振動スクリーン（５）の固定側部（５Ａ）を支持させ、前記リンク機構（４）により前記振動スクリーン（５）の可動側部（５Ｂ）を支持させ、且つ、前記基体（３）と前記振動スクリーン（５）の可動側部（５Ｂ）とを、搬送方向上手と下手において夫々一対のリアクタースプリング（７）で連結してあり、
前記架台（１）に対する基体（３）の支持が、該基体（３）の長手方向上方側端部と、長手方向略中間部及び下方側端部とそれらの幅方向左右位置の６箇所で、夫々前記緩衝バネ（２）を介して支持されるように一体構造物に構成された第１の架台（１Ａ）と、前記基体（３）の下方側端部が独立して構成された第２の架台（１Ｂ）とから成されており、以って、前記振動スクリーン（５）の固定側部（５Ａ）の前記基体（３）の長手方向下手側端部、即ち、下端部に対する支持体（６）を介しての支持が、直ちに緩衝バネ（２）を介して直下の第２の架台（１Ｂ）により支持される構成とされ、
前記支持体（６）による前記振動スクリーン（５）の固定側部（５Ａ）の支持が、前記基体（３）の長手方向上方側端部及び下方側端部とそれらの幅方向左右位置の４箇所で成されており、
且つ、前記振動スクリーン（５）に設けられたスクリーン本体（５Ｃ）は、その搬送方向において、所定の間隔を隔てて、前記可動側部（５Ｂ）と固定側部（５Ａ）とに止め付けられている、という手段を講じたのである。【００１６】  本発明における前記振動スクリーン（５）の固定側部（５Ａ）（カウンターウエイト側）とは、基体（３）、振動モーター（９）、リンク機構（４）、支持体（６）を含む構造物を指す。また、前記振動スクリーン（５）の可動側部（５Ｂ）（トラフ側）とは、リンク機構（４）によって可動する部分をいう。
【発明の効果】
【００１７】  本発明の振動篩装置によれば、コスト高を招くことなく、簡単な構造改良でもって、ベースとする振動篩装置（特許文献４）のもつ選別物（土砂、その他）に対する選別性能をより一層向上させながらフロア−に対する振動伝達を抑制することができる顕著な効果を奏するに至った。
本発明のその他の具体的な効果は、以下の記載から明らかとなろう。
【発明を実施するための最良の形態】
【００１８】  本発明の実施に際しては、前記振動スクリーン（５）に設けられたスクリーン本体（５Ｃ）は、その搬送方向において、所定の間隔を隔てて、前記可動側部（５Ｂ）と固定側部（５Ａ）とに止め付けられているのが好ましい。
このように、前記振動スクリーン（５）を、固定側部（５Ａ）と前記可動側部（５Ｂ）とに分離した構造としながら、選別物に十分な波動運動を付与し、３０乃至５０Ｇの加速度で跳ね上げることができるようにできたものであり、これによって、フロア−への振動伝達抑制と、選別性能の向上の両立ができたものである。【００１９】  また、前記架台（１）が、傾斜された前記基体（３）の上方側端部と略中間位置部とを支持するように一体構造物に構成された第１の架台（１Ａ）と、前記基体（３）の下方側端部が独立して構成された第２の架台（１Ｂ）とから成るのが好ましい。
このように、基体（３）の上方側端部と略中間位置部とを支持するように一体構造物に構成したことで、分解搬送、組み立てが容易となり、作業性が向上する。【００２０】  更に、前記架台（１）が、傾斜された前記基体（３）の上方側端部、略中間位置部及び下方側端部とを支持するように一体構造物に構成されているのが好ましい。
このように、架台（１）と基体（３）との６箇所の支持が一体構造物とされることは、全体の剛性を高めて安定支持が行い得るだけでなく、その分解、組み付けをより一層容易に行うことができる利点がある。
【実施例】
【００２１】  以下、本発明にかかる振動篩装置の好適実施の形態を、図面を参照して詳述する。
図１（正面図）及び図２（側面図）に示すように、本発明にかかる振動篩装置の基本構成は、工場等の現場のフロア−に固定される架台１（鋼材で構成）に、緩衝バネ２を介して基体３を載置し、該基体３の上にリンク機構４を用いて振動スクリーン５を連接し、前記基体３に振動モーター９を設置し、該振動モーター９によって前記リンク機構４を駆動して前記振動スクリーン５を振動させるように構成されている。そして、前記基体３の傾斜は、初期設計の固定角度とされ、ここでは、１５度に設定されているが、後述するように、選別対象に鑑みて適宜設計で角度選定できる。【００２２】  ここで、前記基体３は、２本の鋼材を併置して、相互に連結する構成とされている。また、前記架台１は、図１に示すように、一方が他方より長い４本の支柱１ａ，１ａ，１ｂ，１ｂを有する正面視略Ｈ型で、図２に示すように、側面視が井桁型の構造とされ、以って、基体３の上端部及び略中間部を支持する第１の架台１Ａと、独立して基体３の下端部を支持する２本の支柱からなる第２の架台１Ｂとから構成されているものである。
尚、図１において、第１の架台１Ａと第２の架台１Ｂとを、仮想線で示す連結部材１Ｃにより一体的に連結して実施するようにしてもよい。【００２３】  従って、前記緩衝バネ２は、前記架台１の第１の架台１Ａの４本の支柱１ａ，１ａ，１ｂ，１ｂ及び第２の架台１Ｂの２本の支柱に夫々対応位置されて設けられているのであり、その圧縮伸張方向がコイルバネの中心方向を向くように架台１と基体３とを連設している。【００２４】  そして、前記基体３の搬送方向上手と下手、即ち、上端部及び上端部から夫々一対、上方に向けて一対の支持体６を枢支、連設し、前記支持体６により前記振動スクリーン５の固定側部５Ａ（カウンターウエイト側）を支持させ、前記リンク機構４により前記振動スクリーン５の可動側部５Ｂ（トラフ側、トラフ形状を呈する）を支持させ、且つ、前記基体３と前記振動スクリーン５の可動側部５Ｂとを、搬送方向上手と下手において夫々一対のリアクタースプリング７で連結してある。【００２５】  この実施例では、前記基体３の搬送方向上手に設けたスプリングブラケット１０に、リアクタースプリング７の一端を連結し、その他端は、可動側部５Ｂ（トラフ側）のスプリングブラケット１１に連結している。同様に、前記基体３の搬送方向下手に設けたスプリングブラケット１２に、リアクタースプリング７の一端を連結し、その他端は、可動側部５Ｂ（トラフ側）のスプリングブラケット１３に連結している。【００２６】  前記リンク機構４は、この実施例では、前記基体３の搬送方向上手に設けたリンクブラケット１４に、第１のリンクアーム４Ａの一端を枢支連結し、その他端は、可動側部５Ｂ（トラフ側）のリンクブラケット１５に枢支連結し、略中央位置において、第２のリンクアーム４Ｂの一端を、基体３のリンクブラケット１６に枢支連結し、その他端は、可動側部５Ｂ（トラフ側）のリンクブラケット１７に枢支連結し、搬送方向上下手において、第３のリンクアーム４Ｃの一端を、基体３のリンクブラケット１８に枢支連結し、その他端を、可動側部５Ｂ（トラフ側）のリンクブラケット１９に枢支連結してある。【００２７】  そして、前記リンクアーム４Ａ，４Ｂ，４Ｃの傾斜は、その上端が搬送方向上手に位置し、下端が下手に位置するとともに、前記リアクタースプリング７は、これとは逆に、その上端が搬送方向下手に位置し、下端が上手に位置するように取り付けられている。【００２８】  前記振動モーター９は、電動モーター９Ａと、これにより駆動する偏心軸９Ｂとからなり、この偏心軸の変位を連結部材９Ｃにより前記可動側部５Ｂ（トラフ側）に伝達し、これを波動させるように構成されているのである。
上記の連結部材９Ｃには、リアクションを発生させるリアクタースプリング７が介装されている。
上記電動モーター９Ａは，ここでは、出力５．５ＫＷのものが使用されている。【００２９】  この実施例では、前記振動スクリーン５の固定側部５Ａの重量（ここでは、約４２５０Ｋｇ）１としたときに、前記可動側部５Ｂの重量（ここでは、約２５００Ｋｇ）を、０．５９に設定してある。
前記の固定側部５Ａの重量には、基体３、振動モーター９、リンク機構４、支持体６が含まれ、前記可動側部５Ｂの側の重量とは、振動スクリーン５の前記リンク機構４により可動される部位の重量をいう。
これら固定側部５Ａの重量と可動側部５Ｂの重量とは１対１が理想であるが、実施例のように、０．５であってもよく、また、０．４乃至１．５の範囲であれば、本発明の目的を有効に達成できる。【００３０】  更に、前記振動スクリーン５に設けられたスクリーン本体５Ｃは、その搬送方向において、所定の間隔を隔てて、前記可動側部５Ｂと固定側部５Ａとに止め付けられている。このスクリーン本体５Ｃは、ウレタン網で構成されている。
図３及び図４に示すように、スクリーン本体５Ｃの前記可動側部５Ｂと固定側部５Ａへの止め付けのピッチは、ここでは、３１０ｍｍである。【００３１】  図４に示すように、前記可動側部５Ｂが作動することによって、上部の選別物は、例えば３０乃至５０Ｇの加速度で跳ね上げられる。
図３に示すように、スクリーン本体５Ｃを通過した土砂は、排出口５Ｄから、その他のものは、排出口５Ｅから排出される。その排出口５Ｅからの選別物は、そのまま処理されるか、他の、例えば、風船を伴う振動篩装置により、更に分別されることになる。【００３２】  尚、基体３の傾斜については、選別物の性質によって、１５度、１２度等、好適な角度に設定して実施できるものであり、また、スクリーン本体５Ｃについても、そのメッシュの孔は、選別物の性質によって、３ｍｍ乃至１０ｍｍ角の大きさのものを適宜選択して使用できる。【００３３】  上記の如き構成であるので、振動モーター９による振動は、前記振動スクリーン５の可動側部５Ｂに伝達されると、その反力が、リアクタースプリング７を介して、固定側部５Ａ、即ち、基体３の側に伝達され、共振状態となる。
即ち、前記振動スクリーン５の可動側部５Ｂは、その下部側においてリンク機構４と、リアクタースプリング７とによって支持され、上部側において、基体３から伸びる支持体６により吊り下げられた、謂わば宙吊り状態となっているのであるが、これを波動させた反力を基体３で受け止めることで両者を共振させる状態とすることで、フロア−への振動伝達を抑制することができるのである。【００３４】  そして、固定側部５Ａと可動側部５Ｂとに跨って止め付けられたスクリーン本体５Ｃは、その波動を十分に現出できることで、選別物に対する大きな加速度を付与し得て、大きな跳ね上げを行い、効率のよい選別を行うことができるのである。【００３５】  そして、前記架台１に対する基体３の支持が、該基体３の長手方向上方側端部と、長手方向略中間部及び下方側端部とそれらの幅方向左右位置の６箇所で、夫々前記緩衝バネ２を介して成されており、且つ、前記支持体６による前記振動スクリーン５の固定側部５Ａの支持が、前記基体３の長手方向上方側端部及び下方側端部とそれらの幅方向左右位置の４箇所で成されていることで、その振動スクリーン５の固定側部５Ａの前記基体３の長手方向下手側端部、即ち、下端部に対する支持体６を介しての支持が、直ちに緩衝バネ２を介して直下の架台１（第２の架台１Ｂ）により支持されることになり、従来の下端部から略中央部にまで離れた位置で支持する場合に比べて、時間的ズレやモーメントの発生（下端部が力点、緩衝バネ２位置が支点）がなく、振動モーター９による振動スクリーン５の固定側部５Ａ及び可動側部５Ｂの協働による波動振動の紛れを生じさせる事態を未然に回避し、以って、選別効率をより一層向上させながら、上述した共振による振動減衰によるフロアーへの振動伝達を抑制することができる。
【産業上の利用可能性】
【００３６】  本発明の振動篩装置は、建設廃材ミンチ（混合廃棄物）、コンクリート・土砂廃材、資源ゴミの残渣等の分別に適したもので、その応用範囲は広い。
【図面の簡単な説明】
【００３７】
【図１】本発明にかかる振動篩装置の正面図。
【図２】本発明にかかる振動篩装置の側面図。
【図３】本発明にかかる振動篩装置の概略平面図。
【図４】本発明にかかる振動篩装置の要部の縦断側面図。
【図５】本発明にかかる振動篩装置の作用を示すスクリーン本体の概略正面図。
【図６】従来技術にかかる振動篩装置を示す正面図。
【図７】従来技術にかかる振動篩装置を示す側面図。
【符号の説明】
【００３８】１：架台
１Ａ：第１の架台
１Ｂ：第２の架台
２：緩衝バネ
３：基体
４：リンク機構
５：振動スクリーン
５Ａ：固定側部
５Ｂ：可動側部
６：支持体
７：リアクタースプリング
８：傾斜調節機構
９：振動モーター
【図１】
0005481687.tif 000002
【図２】
0005481687.tif 000003
【図３】
0005481687.tif 000004
【図４】
0005481687.tif 000005
【図５】
0005481687.tif 000006
【図６】
0005481687.tif 000007
【図７】
0005481687.tif 000008